【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】  一連の非符号化情報フレームを圧縮符号化して、フレーム・グループ（ＧＯＦ）情報構成に実質的に基づく一連の符号化情報フレームを生成するシステム内における方法であり、各ＧＯＦは少なくとも一つのサブＧＯＦを備え、各サブＧＯＦは少なくとも一つのアンカーフレームを備え、各アンカーフレームはイントラ符号化フレーム（Ｉフレーム）と前方予測フレーム（Ｐフレーム）のうちの一つを備える、当該方法であって、
前記一連の非符号化情報フレーム内のインターフレーム情報の不連続領域に対応して、前記情報の不連続領域の次の第１のアンカーフレームはＩフレームを備え、前記情報の不連続領域に先行する第１のアンカーフレームはＰフレームを備えるように前記ＧＯＦ情報構成を修正する工程
を備える方法。
【請求項２】  前記修正する工程は、
ＧＯＦ情報構成のアンカーフレームになる予定の各非符号化情報フレームをＩフレームとＰフレームの両方として符号化する工程と、
前記生成された一連の符号化情報フレームに含まれる各符号化アンカーフレームに対して、前記符号化されたＩフレームと、前記アンカーフレームに関連する前記符号化されたＰフレームのうちの一つをそれぞれ選択する工程を備え、
情報の不連続領域が存在すると、前記情報の不連続領域の次の前記第１のアンカーフレームに関連するＩフレームが選択され、また、前記情報の不連続領域に先行する前記第１のアンカーフレームに関連するＰフレームが選択される請求項１の方法。
【請求項３】  前記修正する工程は、
ＧＯＦ情報構成のＰフレームとして符号化される予定の各非符号化情報フレームをＩフレームとＰフレームの両方として符号化する工程と、
前記生成された一連の符号化情報フレーム内に含まれる予定の各符号化されたＰフレームに対して、前記符号化されたＰフレームとそれに関連して符号化されたＩフレームのうちの一つをそれぞれ選択する工程とを備え、
情報の不連続領域が存在すると、前記情報の不連続領域の次の前記第１のアンカーフレームに関連するＩフレームが選択され、また、前記情報の不連続領域に先行する前記第１のアンカーフレームに関連するＰフレームが選択される請求項１の方法。
【請求項４】  前記修正する工程は、
ＧＯＦ情報構成に基づくＩフレームになる予定の各非符号化情報フレームを格納する工程と、
ＧＯＦ情報構成に基づくＩフレームかＰフレームのいずれか一方として各アンカーフレームを符号化する工程と、
情報の不連続領域がない場合に、前記生成された一連の符号化情報フレームに含ませるために、前記符号化アンカーフレームの各々を選択する工程と、
情報の不連続領域がある場合に、前記格納された非符号化情報フレームを用いて予測されるＰフレームとして符号化し、前記生成された一連の符号化情報フレームに含ませるために、前記情報の不連続領域に先行する前記第１のアンカーフレームを選択する工程と、前記生成された一連の符号化情報フレームに含ませるために、前記情報の不連続領域の次の前記第１のアンカーフレームをＩフレームとして符号化する工程と
を備える請求項１の方法。
【請求項５】  前記方法は、
前記一連の非符号化情報フレームの各サブＧＯＦを遅延させる工程をさらに備え、
前記修正する工程は、
前記一連の非符号化情報フレームを符号化する前に前記情報の不連続領域に対応して前記ＧＯＦ構成を再定義する工程をさらに備える請求項１の方法。
【請求項６】  一連の情報フレームを圧縮符号化して、フレーム・グループ（ＧＯＦ）情報構成に基づく一連の符号化情報フレームを生成するシステム内における方法であり、各ＧＯＦは少なくとも一つのサブＧＯＦを備え、各サブＧＯＦはアンカーフレームと一つ以上の非アンカーフレームを備え、前記非アンカーフレームは前記アンカーフレームに基づく予測情報を含む、当該方法であって、
第１の符号化モジュールを使って、前記ＧＯＦ情報構成に基づいて前記一連の情報フレームのサブＧＯＦ部分を符号化して一連の符号化情報フレームを生成する工程であって、前記アンカーフレームの各々がＩフレーム又はＰフレームを備える、当該工程と、
第２の符号化モジュールを使って、前記ＧＯＦ構成に基づいて前記一連の情報フレームの前記サブＧＯＦ部分を符号化して一連の符号化情報フレームを生成する工程であって、前記アンカーフレームの各々はＰフレームを備える、当該工程と、
情報の不連続領域が前記一連の情報フレームの前記サブＧＯＦ部分内に存在するかどうかを確かめる工程と、
情報の不連続領域が前記一連の情報フレームの前記サブＧＯＦ部分に存在する場合、前記第２の符号化モジュールで生成された前記一連の符号化情報フレームを出力する工程と、
情報の不連続領域が前記一連の情報フレームの前記サブＧＯＦ部分に存在しない場合、前記第１の符号化モジュールによって生成された前記一連の符号化情報フレームを出力する工程と
を備える方法。
【請求項７】  一連の情報フレームを圧縮符号化して、フレーム・グループ（ＧＯＦ）情報構成に基づく一連の符号化情報フレームを生成するシステムで使う装置であり、各ＧＯＦは少なくとも一つのサブＧＯＦを備え、各サブＧＯＦはアンカーフレームと一つ以上の非アンカーフレームを備え、前記非アンカーフレームは前記アンカーフレームに基づく予測情報を含む、当該装置であって、
前記ＧＯＦ情報構成に基づいて前記一連の情報フレームを符号化して、一連の符号化情報フレームを生成する第１の符号化モジュールであって、前記アンカーフレームの各々はＩフレーム又はＰフレームを備える、当該第１の符号化モジュールと、
前記第１の符号化モジュールによって生成されたサブＧＯＦを格納する第１のバッファと、
前記ＧＯＦ構成に基づく前記一連の情報フレームを符号化して一連の符号化情報フレームを生成する第２の符号化モジュールであって、前記アンカーフレームのそれぞれはＰフレームを備える、当該第２の符号化モジュールと、
前記第２の符号化モジュールによって生成されたサブＧＯＦを格納する第２のバッファと、
を備え、
第１の動作モードでは前記第１のバッファに格納された前記サブＧＯＦが出力点に与えられ、
第２の動作モードでは前記第２のバッファに格納された前記サブＧＯＦが前記出力点に与えられる装置。
【請求項８】  前記一連の情報フレーム内の情報の不連続領域の示値に対応して前記第２の動作モードに入る請求項７の装置。
【請求項９】  フレーム・グループ（ＧＯＦ）情報構成に実質的に基づいて一連の非符号化情報フレームを圧縮符号化して一連の符号化情報フレームを生成する第１のエンコーダであって、各ＧＯＦは少なくとも一つのサブＧＯＦを備え、各サブＧＯＦは少なくとも一つのアンカーフレームを備え、各アンカーフレームはイントラ符号化フレーム（Ｉフレーム）と前方予測フレーム（Ｐフレーム）のうちの一つを備える、当該第１のエンコーダと、
前記一連の非符号化情報フレーム内のインターフレーム情報の不連続領域の示値に対応して前記エンコーダを制御するコントローラであって、前記情報不連続領域の次の第１のアンカーフレームはＩフレームを備え、前記情報の不連続領域に対して先行する第１のアンカーフレームがＰフレームを備えるように前記ＧＯＦ情報構成を修正する、当該コントローラと
を備える装置。
【請求項１０】  前記装置は、
フレーム・グループ（ＧＯＦ）情報構成に基づくＰフレームとして符号化される予定のフレームをＩフレームとして符号化する第２のエンコーダと、
前記第１のエンコーダによって生成された前記一連の符号化情報フレーム、もしくは、前記第２のエンコーダによって生成された前記符号化されたＩフレームを出力点に与える前記コントローラに応答するセレクタと
をさらに備え、
前記コントローラは、前記一連の非符号化情報フレーム内のインターフレーム情報の不連続領域の前記示値に応答し、前記セレクタに、前記情報の不連続領域の次の前記第１のアンカーフレームに関連するＩフレームと前記情報の不連続領域に先行する前記第１のアンカーフレームに関連するＰフレームを出力用に選択させる
請求項９の装置。
【請求項１１】  前記装置は、
前記ＧＯＦ情報構成に基づくＩフレームとして符号化される予定の各非符号化情報フレームを格納し、前記予定のＩフレームに一時的に先行する再生されたアンカーフレームを格納するメモリをさらに備え、
前記情報不連続領域が存在する場合、前記コントローラは、前記第１のエンコーダに前記ＩフレームをＰフレームとして再符号化させる
請求項９の装置。
【請求項１２】  前記装置は、
前記一連の非符号化情報フレームの各サブＧＯＦを遅延させるバッファをさらに備え、
前記コントローラは、前記バッファの入力点に与えられた前記一連の非符号化情報フレームを検査し、もし前記検査された情報フレームが情報の不連続領域を含むならば、前記コントローラは、前記第１のエンコーダで使われた前記ＧＯＦ構成を修正する
請求項９の装置。